(57)【要約】【課題】誤接続を防止し、直列及び並列に接続できる太陽電池モジュールを提供すること。【解決手段】太陽電池モジュールからの正極に接続した第１ケーブル及び第３ケーブルとを備え、負極に接続した第２ケーブル及び第４ケーブルを備える。第１ケーブル及び第２ケーブルを束ねた第１コネクタと、第３ケーブル及び第４ケーブルを束ねた第２コネクタを備える。前記第１コネクタ及び第２コネクタは、前記第１ケーブルが前記第３ケーブル及び前記第４ケーブルのいずれかに接続可能であり、前記第２ケーブルは前記第４ケーブルのみに接続可能となるように突起及び孔を備える。【選択図】        図１
2006237350.tif 000002
【特許請求の範囲】
【請求項１】
正極と負極とを電極として備えた太陽電池モジュールであって、
前記正極、前記負極のうちのいずれかに接続された第1ケーブルと、
前記第1ケーブルが接続した電極と逆の電極に接続された第２ケーブルと、
前記第1ケーブルが接続した電極と同じ電極に接続された第3ケーブルと、
前記第1ケーブルが接続した電極と逆の電極に接続された第４ケーブルと、
前記第1ケーブル及び前記第2ケーブルの先端を束ねるように設けられた第1コネクタと、
前記第3ケーブル及び前記第４ケーブルの先端を束ねるように設けられた第２コネクタと、
を具備し、
前記第1ケーブルの先端は前記第３ケーブルの先端と接続可能な形状であり、
前記第1ケーブルの先端と前記第２ケーブルの先端との形状は同一であり、
前記第３ケーブルの先端と前記第４ケーブルの先端との形状は同一であり、
前記第1コネクタは、
前記第1ケーブルの先端が突き出した第１部分と、
前記第2ケーブルの先端が突き出した第2部分と、
を備え、
前記第２コネクタは、
前記第３ケーブルの先端が突き出した第３部分と、
前記第４ケーブルの先端が突き出した第４部分と、
を備え、
前記第1部分から前記第2部分方向と前記第3部分から前記第４部分方向とが平行である場合に、
前記第1ケーブルは前記第３ケーブル又は前記第４ケーブルに接続可能であり、
前記第２ケーブルは前記第４ケーブルに接続可能であり、
前記第1部分から前記第2部分方向と前記第3部分から前記第４部分方向とが反平行である場合に、
前記第１ケーブルは前記第３ケーブル及び前記第４ケーブルと接続不可能であり、
前記第２ケーブルは前記第３ケーブル及び前記第４ケーブルと接続不可能である
太陽電池モジュール。
【請求項２】
請求項１に記載された太陽電池モジュールであって、
前記第1コネクタから前記第1ケーブル及び前記第２ケーブルが突き出している第1接続面と、
前記第1接続面から突出した第1突起と、
前記第1接続面から突出した第２突起と、
前記第1接続面から突出した第３突起と、
前記第２コネクタから前記第３ケーブル及び前記第４ケーブルが突き出している第２接続面と、
前記第２接続面から突出した第４突起と、
前記第２接続面から突出した第５突起と、
前記第２接続面から突出した第６突起と、
を具備し、
前記第1部分から前記第2部分方向と前記第3部分から前記第４部分方向とが平行であり且つ前記第１部分が前記第３部分と対向する場合に、
前記第２部分は前記第４部分と対向し、
前記第1部分から前記第2部分方向と前記第3部分から前記第４部分方向とが反平行であり且つ前記第１部分が前記第４部分と対向する場合に、
前記第１突起は前記第６突起と対向し、
前記第２突起は前記第５突起と対向し、
前記第３突起は前記第４突起と対向し、
前記第1部分から前記第2部分方向と前記第3部分から前記第４部分方向とが反平行であり且つ前記第１部分が前記第３部分と対向する場合に、
前記第１突起は前記第５突起と対向し、
前記第２突起は前記第４突起と対向し、
前記第1部分から前記第2部分方向と前記第3部分から前記第４部分方向とが反平行であり且つ前記第２部分が前記第４部分と対向する場合に、
前記第２突起は前記第６突起と対向し、
前記第３突起は前記第５突起と対向する
太陽電池モジュール。
【請求項３】
請求項１に記載された太陽電池モジュールであって、
前記第1部分から前記第2部分方向と前記第3部分から前記第４部分方向とが平行である場合に、
前記第２ケーブルは前記第３ケーブルと接続不可能である
太陽電池モジュール。
【請求項４】
請求項３に記載された太陽電池モジュールであって、
前記第1コネクタから前記第1ケーブル及び前記第２ケーブルが突き出している第1接続面と、
前記第1接続面から突出した第1突起と、
前記第1接続面から突出した第２突起と、
前記第1接続面から突出した第３突起と、
前記第1接続面から突出した第４突起と、
前記第1接続面から突出した第５突起と、
前記第1接続面から突出した第６突起と、
前記第２コネクタから前記第３ケーブル及び前記第４ケーブルが突き出している第２接続面と、
前記第２接続面から突出した第７突起と、
前記第２接続面から突出した第８突起と、
前記第２接続面から突出した第９突起と、
前記第２接続面から突出した第１０突起と、
前記第２接続面から突出した第１１突起と、
前記第２接続面から突出した第１２突起と、
とを具備し、
前記第1突起、前記第2突起、前記第４突起、前記第５突起は、
前記第1部分から前記第2部分方向と前記第3部分から前記第４部分とが平行である状態で前記第1部分を前記第3部分と対向させ且つ前記第2部分を前記第４部分と対向させたときに、各々前記第７突起、前記第８突起、前記第１０突起、前記第１１突起と対向し、前記第1部分から前記第2部分方向と前記第3部分から前記第４部分とが平行である状態で前記第１部分を前記第４部分と対向させたときに、各々前記第８突起、前記第９突起、前記第１１突起、前記第１２突起と対向する位置に設けられ、
前記第３突起及び前記第６突起は、
前記第1部分から前記第2部分方向と前記第3部分から前記第４部分とが平行である状態で前記第1部分を前記第3部分と対向させ且つ前記第2部分は前記第４部分と対向させた際に、各々前記第９突起及び前記第１２突起と対向する位置に設けられ、
前記第４突起、前記第５突起、前記第８突起、及び前記第９突起は、前記第１突起、前記第３突起、前記第１０突起、及び前記第１２突起のいずれか一つを受入可能な形状の孔を備え、
前記第６突起及び前記第７突起は、前記第1突起、前記第３突起、前記第１０突起、及び前記第１２突起のいずれか一つを受入可能であり且つ前記第２突起及び前記第１１突起を受け入れ不可能な形状の孔を備える
太陽電池モジュール。
【請求項５】
請求項４に記載された太陽電池モジュールであって、
前記第１突起、前記第２突起、及び前記第３突起は、前記第1接続面と平行な面による断面形状が円、楕円、又は四角形のうちのいずれかであり、
前記第１０突起、前記第１１突起、及び前記第１２突起は、前記第２接続面と平行な面による断面形状が円、楕円、又は四角形のうちのいずれかである
太陽電池モジュール。
【請求項６】
請求項１に記載された太陽電池モジュールであって、
前記第1コネクタから前記第1ケーブル及び前記第２ケーブルが突き出している第1接続面と、
前記第1接続面から突出した第２突起と、
前記第1接続面から突出した第４突起と、
前記第1接続面から突出した第５突起と、
前記第1接続面から突出した第６突起と、
前記第２コネクタから前記第３ケーブル及び前記第４ケーブルが突き出している第２接続面と、
前記第２接続面から突出した第７突起
前記第２接続面から突出した第８突起と、
前記第２接続面から突出した第９突起と、
前記第２接続面から突出した第１０突起と、
前記第２接続面から突出した第１１突起と、
前記第２接続面から突出した第１２突起と、
とを具備し、
前記第２突起、前記第４突起、前記第５突起、前記第６突起は、
前記第1部分から前記第2部分方向と前記第3部分から前記第４部分とが平行になる状態で前記第1部分を前記第3部分と対向させ且つ前記第2部分を前記第４部分と対向させた際に、各々前記第８突起、前記第１０突起、前記第１１突起、前記第１２突起と対向し、前記第1部分から前記第2部分方向と前記第3部分から前記第４部分とが平行になる状態で前記第１部分を前記第４部分と対向させた際に、各々前記第９突起、前記第１１突起、前記第１２突起、と対向する位置に設けられ、
前記第８突起及び前記第９突起は、前記第２突起、前記第４突起、前記第５突起、及び前記第６突起のいずれか一つを受入可能な形状の孔を備え、
前記第７突起、前記第１０突起、前記第１１突起及び前記第１２突起は、前記第４突起、前記第５突起、及び前記第６突起のいずれか一つを受入可能であり且つ前記第２突起を受け入れ不可能な形状の孔を備える
太陽電池モジュール。
【請求項７】
請求項６に記載された太陽電池モジュールであって、
前記第２突起、前記第４突起、前記第５突起、及び前記第６突起は、前記第1接続面と平行な面による断面形状が円、楕円、又は四角形のうちのいずれかである
太陽電池モジュール。
【請求項８】
請求項１乃至７のいずれかに記載された太陽電池モジュールを直列又は並列につないだ太陽光発電システム。
【発明の詳細な説明】
【技術分野】
【０００１】
本発明は太陽電池モジュールの逆接続防止用コネクタに関する。
【背景技術】
【０００２】
４端子型の太陽電池モジュールは、直列、並列の両方の接続が容易であり、システム構成へのフレキシブル性が高いことが知られている。特開２００２−２８９８９３では
複数枚の太陽電池モジュールを並列に接続して発電出力を集約する配線を含む太陽光発電システムに使用される太陽電池モジュールにおいて、
矩形基板と、
その矩形基板の一方側に設けられた正極と、
その矩形基板の他方側に設けられた負極と、
その正極に接続された正極用モジュール内配線と、
その正負両極間に設けられた２つの端子箱と、
その２つの端子箱のうちの一方に設けられ、その正極用モジュール内配線に接続され、２つに分岐する正極用端子箱内配線と、
正極2端子及び負極2端子を取り出す為に、その正極用端子箱内配線及びその負極用端子箱内配線にそれぞれ接続された正負に対の出力取り出し用ケーブルと、
を具備することを特徴とした太陽電池モジュールが開示されている。
【０００３】
太陽電池モジュールを直列に接続する際、誤接続により太陽電池モジュールの極性を逆に接続した場合は、そのモジュールに過大な逆電圧がかかり、素子の破壊や、発火に至る事故が発生する危険性がある。
【０００４】
太陽電池モジュールから引き出された正負2対の端子のうち、一方の正負一対の端子にオス型コネクタを設け、他方の正負一対の端子にそのオス型コネクタに対応したメス型コネクタを設けた場合、直列及び並列の双方の接続が可能であるが、誤接続の危険性がある。一方、極性毎に異型のオスメス一対のコネクタを設けた場合、太陽電池モジュールを並列に接続することは可能であるが、直列に接続するには新たにアダプタが必要であった。
【０００５】
誤接続を防止し、直列及び並列に接続できる太陽電池モジュールの提供が望まれていた。
【特許文献１】特開２００２−２８９８９３号  公報
【発明の開示】
【発明が解決しようとする課題】
【０００６】
本発明の課題は、太陽電池モジュールを直列に接続する場合、極性を逆にして接続することを防止する為のコネクタを備えた太陽電池モジュールを提供することにある。
【０００７】
本発明の更に他の課題は、太陽電池モジュールを直列に接続する場合、極性を逆にして接続することを防止し且つ直列及び並列の双方に接続可能であるコネクタを備えた太陽電池モジュールを提供することにある。
【課題を解決するための手段】
【０００８】
以下に、［発明の実施の形態］で使用される番号・符号を用いて、課題を解決する為の手段を説明する。これらの番号・符号は［特許請求の範囲］の記載と［発明の実施の形態］の記載との対応関係を明らかにする為に付加されている。但し、付加された番号・符号は［特許請求の範囲］に記載されている発明の技術的範囲の解釈に用いてはならない。
【０００９】
本発明に係る太陽電池モジュール８０は、
正極と負極とを電極として備えた太陽電池モジュール８０であって、
その正極、その負極のうちのいずれかに接続された第1ケーブル１１と、
その第1ケーブル１１が接続した電極と逆の電極に接続された第２ケーブル１２と、
その第1ケーブル１１が接続した電極と同じ電極に接続された第3ケーブル１３と、
その第1ケーブル１１が接続した電極と逆の電極に接続された第４ケーブル１４と、
その第1ケーブル１１及びその第2ケーブル１２の先端を束ねるように設けられた第1コネクタ1と、
その第3ケーブル１３及びその第４ケーブル１４の先端を束ねるように設けられた第２コネクタ４と、
を備え、
その第1ケーブル１１の先端はその第３ケーブル１３の先端と接続可能な形状であり、
その第1ケーブル１１の先端とその第２ケーブル１２の先端との形状は同一であり、
その第３ケーブル１３の先端とその第４ケーブル１４の先端との形状は同一であり、
その第1コネクタ1は、
その第1ケーブル１１の先端が突き出した第１部分と、
その第2ケーブル１２の先端が突き出した第2部分と、
を備え、
その第２コネクタ４は、
その第３ケーブル１３の先端が突き出した第３部分と、
その第４ケーブル１４の先端が突き出した第４部分と、
を備え、
その第1部分からその第2部分方向とその第3部分からその第４部分方向とが平行である場合に、
その第1ケーブル１１はその第３ケーブル１３又はその第４ケーブル１４に接続可能であり、
その第２ケーブル１２はその第４ケーブル１４に接続可能であり、
その第1部分からその第2部分方向とその第3部分からその第４部分方向とが反平行である場合に、
その第１ケーブル１１はその第３ケーブル１３及びその第４ケーブル１４と接続不可能であり、
その第２ケーブル１２はその第３ケーブル１３及びその第４ケーブル１４と接続不可能である
太陽電池モジュール８０である。
【００１０】
本発明に係る太陽電池モジュール８０は、
その第1コネクタ１からその第1ケーブル１１及びその第２ケーブル１２が突き出している第１接続面２と、
その第１接続面２から突出した第1突起５と、
その第１接続面２から突出した第２突起６と、
その第１接続面２から突出した第３突起７と、
その第２コネクタ４からその第３ケーブル１３及びその第４ケーブル１４が突き出している第２接続面３と、
その第２接続面３から突出した第４突起１０と、
その第２接続面３から突出した第５突起９と、
その第２接続面３から突出した第６突起８と、
を備え、
その第1部分からその第2部分方向とその第3部分からその第４部分方向とが平行であり且つその第１部分がその第３部分と対向する場合に、
その第２部分はその第４部分と対向し、
その第1部分からその第2部分方向とその第3部分からその第４部分方向とが反平行であり且つその第１部分がその第４部分と対向する場合に、
その第１突起５はその第６突起８と対向し、
その第２突起６はその第５突起９と対向し、
その第３突起７はその第４突起１０と対向し、
その第1部分からその第2部分方向とその第3部分からその第４部分方向とが反平行であり且つその第１部分がその第３部分と対向する場合に、
その第１突起５はその第５突起９と対向し、
その第２突起６はその第４突起１０と対向し、
その第1部分からその第2部分方向とその第3部分からその第４部分方向とが反平行であり且つその第２部分がその第４部分と対向する場合に、
その第２突起６はその第６突起８と対向し、
その第３突起７はその第５突起９と対向する
太陽電池モジュール８０である。
【００１１】
本発明に係る太陽電池モジュール８０は、
その第1部分からその第2部分方向とその第3部分からその第４部分方向とが平行である場合に、
その第２ケーブル１２はその第３ケーブル１３と接続不可能である
太陽電池モジュール８０である。
【００１２】
本発明に係る太陽電池モジュール８０は、
その第1コネクタ１からその第1ケーブル１１及びその第２ケーブル１２が突き出している第１接続面２と、
その第１接続面２から突出した第1突起３１と、
その第１接続面２から突出した第２突起３２と、
その第１接続面２から突出した第３突起３３と、
その第１接続面２から突出した第４突起３７と、
その第１接続面２から突出した第５突起３８と、
その第１接続面２から突出した第６突起３９と、
その第２コネクタ４からその第３ケーブル１３及びその第４ケーブル１４が突き出している第２接続面３と、
その第２接続面３から突出した第７突起４２と、
その第２接続面３から突出した第８突起４１と、
その第２接続面３から突出した第９突起４０と、
その第２接続面３から突出した第１０突起３６と、
その第２接続面３から突出した第１１突起３５と、
その第２接続面３から突出した第１２突起３４と、
とを備え、
その第1突起３１、その第2突起３２、その第４突起３７、その第５突起３８は、
その第1部分からその第2部分方向とその第3部分からその第４部分とが平行である状態でその第1部分をその第3部分と対向させ且つその第2部分をその第４部分と対向させたときに、各々その第７突起４２、その第８突起４１、その第１０突起３６、その第１１突起３５と対向し、その第1部分からその第2部分方向とその第3部分からその第４部分とが平行である状態でその第１部分をその第４部分と対向させたときに、各々その第８突起４１、その第９突起４０、その第１１突起３５、その第１２突起３４と対向する位置に設けられ、
その第３突起３３及びその第６突起３９は、
その第1部分からその第2部分方向とその第3部分からその第４部分とが平行である状態でその第1部分をその第3部分と対向させ且つその第2部分はその第４部分と対向させた際に、各々その第９突起４０及びその第１２突起３４と対向する位置に設けられ、
その第４突起３７、その第５突起３８、その第８突起４１、及びその第９突起４０は、その第１突起３１、その第３突起３３、その第１０突起３６、及びその第１２突起３４のいずれか一つを受入可能な形状の孔を備え、
その第６突起３９及びその第７突起４２は、その第1突起、その第３突起３３、その第１０突起３６、及びその第１２突起３４のいずれか一つを受入可能であり且つその第２突起３２及びその第１１突起３５を受け入れ不可能な形状の孔を備える
太陽電池モジュール８０である。
【００１３】
本発明に係る太陽電池モジュール８０は、
その第１突起３１、その第２突起３２、及びその第３突起３３は、その第１接続面２と平行な面による断面形状が円、楕円、又は四角形のうちのいずれかであり、
その第１０突起３６、その第１１突起３５、及びその第１２突起３４は、その第２接続面３と平行な面による断面形状が円、楕円、又は四角形のうちのいずれかである
太陽電池モジュール８０である。
【００１４】
本発明に係る太陽電池モジュール８０は、
その第1コネクタ１からその第1ケーブル１１及びその第２ケーブル１２が突き出している第１接続面２と、
その第１接続面２から突出した第２突起６０と、
その第１接続面２から突出した第４突起６１と、
その第１接続面２から突出した第５突起６２と、
その第１接続面２から突出した第６突起６３と、
その第２コネクタ４からその第３ケーブル１３及びその第４ケーブル１４が突き出している第２接続面３と、
その第２接続面３から突出した第７突起６９
その第２接続面３から突出した第８突起６８と、
その第２接続面３から突出した第９突起６７と、
その第２接続面３から突出した第１０突起６６と、
その第２接続面３から突出した第１１突起６５と、
その第２接続面３から突出した第１２突起６４と、
とを備え、
その第２突起６０、その第４突起６１、その第５突起６２、その第６突起６３は、
その第1部分からその第2部分方向とその第3部分からその第４部分とが平行になる状態でその第1部分をその第3部分と対向させ且つその第2部分をその第４部分と対向させた際に、各々その第８突起６８、その第１０突起６６、その第１１突起６５、その第１２突起６４と対向し、その第1部分からその第2部分方向とその第3部分からその第４部分とが平行になる状態でその第１部分をその第４部分と対向させた際に、各々その第９突起６７、その第１１突起６５、その第１２突起６４、と対向する位置に設けられ、
その第８突起６８及びその第９突起６７は、その第２突起６０、その第４突起６１、その第５突起６２、及びその第６突起６３のいずれか一つを受入可能な形状の孔を備え、
その第７突起６９、その第１０突起６６、その第１１突起６５及びその第１２突起６４は、その第４突起６１、その第５突起６２、及びその第６突起６３のいずれか一つを受入可能であり且つその第２突起６０を受け入れ不可能な形状の孔を備える
太陽電池モジュール８０である。
【００１５】
本発明に係る太陽電池モジュール８０は、
その第２突起６０、その第４突起６１、その第５突起６２、及びその第６突起６３は、その第１接続面２と平行な面による断面形状が円、楕円、又は四角形のうちのいずれかである
太陽電池モジュール８０である。
【００１６】
本発明に係る太陽光発電システム８１は、
太陽電池モジュール８０を直列又は並列につないだ太陽光発電システムである。
【発明の効果】
【００１７】
本発明によれば、太陽電池モジュール８０を直列に接続する場合、極性を逆にして接続することを防止する為のコネクタを備えた太陽電池モジュールを提供することができる。
【００１８】
更に本発明によれば、太陽電池モジュールを直列に接続する場合、極性を逆にして接続することを防止し且つ直列及び並列の双方に接続可能であるコネクタを備えた太陽電池モジュールを提供することができる。
【発明を実施するための最良の形態】
【００１９】
次に、発明を実施するための最良の形態について図面を参照して詳細に説明する。
【００２０】
（第１の実施形態）
本発明に係る第１の実施形態を以下に詳述する。
【００２１】
（構成）
図１（a）は本発明の第１の実施形態に係る第１コネクタ１を示し、図１（b）は本発明の第１の実施形態に係る第２コネクタ４を示している。第1コネクタ１は直方体である。第1コネクタ１は太陽電池モジュール８０の正極に接続した第1ケーブル１１と、負極に接続した第２ケーブル１２とを束ねている。第１ケーブル１１及び第２ケーブル１２の断面形状は円形である。第1ケーブル１１の先端は第1コネクタ１の第１接続面２の第1部分から突き出している。第2ケーブル１２の先端は、第1コネクタ１の第１接続面２の第２部分から突き出している。即ち、第１部分及び第２部分は円である。
【００２２】
第２コネクタ４は直方体である。第２コネクタ４は太陽電池モジュール８０の正極に接続した第３ケーブル１３と、負極に接続した第４ケーブル１４とを束ねている。第３ケーブル１３の先端は第２コネクタ４の第２接続面３の第３部分から突き出している。第４ケーブル１４の先端は、第２コネクタ４の第２接続面３の第４部分から突き出している。第3部分と第4部分との距離は、第１部分と第2部分との距離に等しい。尚、本明細書において、第１部分と第２部分との距離とは、第１部分の中心点から第２部分の中心点までの距離を言う。また、第３部分と第４部分との距離も同様である。更に、本明細書において、第１部分から第２部分方向とは、第１部分の中心点から第２部分の中心点を向く方向を言う。第３部分から及び第４部分方向も同様である。
【００２３】
図６(a)は第３ケーブルの先端形状を示す図である。図６(b)は第１ケーブルの先端形状を示す図である。第1ケーブル１１及び第2ケーブル１２の先端の端子形状は同型である。第３ケーブル１３及び第４ケーブル１４の先端の端子形状は同型である。第1ケーブル１１の端子は第３ケーブル１３の端子と接続可能な形状をしている。即ち、第1ケーブル１１の先端に設けられた端子は、第3ケーブル１３及び第4ケーブル１４の先端に設けられた端子と接続可能な形状であり、第2ケーブル１２の先端に設けられた端子も第3ケーブル１３及び第4ケーブル１４の先端に設けられた端子と接続可能な形状である。第３ケーブル１３及び第４ケーブル１４の先端には、ケーブルの外側に向けて突出した２つのツメ保持部９１と、そのツメ保持部９１より接続方向に突出したカギヅメ状のカギヅメ部９０が設けられている。ここで接続方向とは、第１接続面２又は第２接続面３と垂直であり、第１接続面２又は第２接続面３からケーブルが突き出した方向をいう。また、第１ケーブル１１及び第２ケーブル１２の先端にはケーブルの外側に向けて突出し、接続方向に貫通孔９３を有したロック部材９２を備えている。
【００２４】
図２(a)は第１接続面２を正面から見た図であり、図２(b)は第2接続面を正面から見た図である。第1コネクタ１は、第１接続面２から、第１突起５、第２突起６、及び第３突起７を突出させている。第２コネクタ４は第２接続面３から、第４突起１０、第５突起９、及び第６突起８を突出させている。各突起の接続方向の長さは第１ケーブル１１が第３ケーブル１３に接続した場合の第１接続面２から第２接続面３までの距離よりも短く、半分より長い。以下に各突起が設けられた位置及び形状について詳述する。尚、本明細書において、ある突起と他の突起との距離とは、突起とコネクタの接続面が接した部分の中心間の距離を言う。ここで、中心とは例えば突起の形状が円柱である場合には中心点を言い、突起の形状が直方体である場合は対角線の交点を言う。また、本明細書において、ある突起から他の突起への方向とは、ある突起とコネクタの接続面が接した部分の中心から他の突起とコネクタの接続面とが接した部分の中心を向く方向を言う。
【００２５】
第２突起６は第１部分と第２部分との中央の上側に設けられている。第２突起６は直方体である。
【００２６】
第１突起５は、第２突起６と同一形状の突起である。即ち、第１突起５は直方体である。第１突起５は第１部分から第２部分方向が第１突起５から第２突起６方向と平行になり且つ、第１部分との距離が第１部分から第２突起６までの距離に等しくなる位置に設けられている。
【００２７】
第３突起７は、第２突起６と同一形状の突起である。即ち、第３突起７は直方体である。
第３突起７は第１部分から第２部分方向が第２突起６から第３突起７方向と平行になり且つ、第２部分と第３部分との距離が第２部分と第３突起７との距離に等しくなる位置に設けられている。
【００２８】
第５突起９は、第２突起６と同一の形状である。第５突起９は第３部分と第４部分との中央の下側に設けられている。
【００２９】
第４突起１０は、第２突起６と同一形状の突起である。即ち、第４突起１０は直方体である。第１突起５は第３部分から第４部分方向が第４突起１０から第５突起９方向と平行になり且つ、第４部分と第３部分との距離が第３部分と第５突起９との距離に等しくなる位置に設けられている。
【００３０】
第６突起８は、第２突起６と同一形状の突起である。即ち、第６突起８は直方体である。第６突起８は第３部分から第４部分方向が第５突起９から第６突起８方向と平行になり且つ、第４部分との距離が第４部分と第５突起９との距離に等しくなる位置に設けられている。
【００３１】
（作用効果）
本発明の第１の実施の形態の作用効果について詳述する。図５(a)に示す様に複数の太陽電池モジュール８０を並列に接続する場合について説明する。この場合、ある太陽電池モジュール８０の第１コネクタ１から突き出した第１ケーブル１１及び第２ケーブル１２の各々は、その隣の太陽電池モジュール８０の第２コネクタ４から突き出した第３ケーブル１３及び第４ケーブル１４と接続される。この時、第１突起５、第２突起６、第３突起７、第４突起１０、第５突起９、及び第６突起８は、対向する位置に突起が存在しないために、接続を妨害しない。第１ケーブル１１は第３ケーブル１３と接続し、第３ケーブル１３のカギヅメ部９１は第１ケーブル１１のロック部材９２に設けられた貫通孔９３に挿入される。これにより、第１ケーブル１１と第３ケーブル１３とが外れることを防止している。同様に、第２ケーブル１２は第４ケーブル１４と接続し、第４ケーブル１４のカギヅメ部９０は第２ケーブル１２のロック部材９２に設けられた貫通孔９３に挿入される。これにより、第２ケーブル１２から第４ケーブル１４が外れることが防止される。ある太陽電池モジュール８０の第１ケーブル１１及び第２ケーブル１２の各々を、隣の太陽電池モジュール８０の第４ケーブル１４及び第３ケーブル１３に接続しようとした場合、第２突起６は第５突起９と接触する。第１突起５は第６突起８と接触する。第３突起７は第４突起１０と接触する。よって、第１ケーブル１１及び第２ケーブル１２の各々を第４ケーブル１４及び第３ケーブル１３に接続することが出来ない。
【００３２】
即ち、並列に接続しようとした際の誤接続が防止される。
【００３３】
一方、図５（b）に示す様に、複数の太陽電池モジュールを直列に接続する場合は、ある太陽電池モジュール８０の第１ケーブル１１を隣の太陽電池モジュール８０の第４ケーブル１４に接続する。第１突起５、第２突起６、第３突起７、第４突起１０、第５突起９、及び第６突起８は、対向する位置に突起が存在しないために、接続を妨害しない。この時、第２ケーブル１２及び第３ケーブル１３の先端は接続されず、キャップにより絶縁される。
【００３４】
（第２の実施形態）
（構成）
第1コネクタ１は直方体である。第1コネクタ１は太陽電池モジュール８０の正極に接続した第1ケーブル１１と、負極に接続した第２ケーブル１２とを束ねている。第1ケーブル１１の先端は第1コネクタ１の第１接続面２の第1部分から突き出している。第2ケーブル１２の先端は、第1コネクタ１の第１接続面２の第２部分から突き出している。
【００３５】
第２コネクタ４は直方体である。第２コネクタ４は太陽電池モジュール８０の正極に接続した第３ケーブル１３と、負極に接続した第４ケーブル１４とを束ねている。第３ケーブル１３の先端は第２コネクタ４の第２接続面３の第３部分から突き出している。第４ケーブル１４の先端は、第２コネクタ４の第２接続面３の第４部分から突き出している。第3部分と第4部分との距離は、第１部分と第2部分との距離に等しい。
【００３６】
図６(a)は第３ケーブルの先端形状を示す図である。図６(b)は第１ケーブルの先端形状を示す図である。第1ケーブル１１及び第2ケーブル１２の先端には同型の端子が設けられている。第３ケーブル１３及び第４ケーブル１４の先端には同型の端子が設けられている。第1ケーブル１１の端子は第３ケーブル１３の端子と接続可能な形状をしている。即ち、第1ケーブル１１の先端に設けられた端子は、第3ケーブル１３及び第4ケーブル１４の先端に設けられた端子と接続可能な形状であり、第2ケーブル１２の先端に設けられた端子も第3ケーブル１３及び第4ケーブル１４の先端に設けられた端子と接続可能な形状である。第３ケーブル１３及第４ケーブル１４の先端には、ケーブルの外側に向けて突出した２つのツメ保持部９１と、そのツメ保持部９１より接続方向に突出したカギヅメ状のカギヅメ部９０が設けられている。また、第１ケーブル１１及び第２ケーブル１２の先端にはケーブルの外側に向けて突出し、接続方向に貫通孔９３を有したロック部材９２を備えている。
【００３７】
図３(a)は第１接続面２を正面から見た図であり、図３(b)は第2接続面を正面から見た図である。第1コネクタ１は、第１接続面２から第1突起、第2突起、第3突起、第4突起、第５突起３８及び第６突起３９を突出させている。第２コネクタ４は第２接続面３から第７突起４２、第８突起４１、第９突起４０、第１０突起３６、第１１突起３５、及び第１２突起３４を突出させている。各突起の接続方向の長さは第１ケーブル１１が第３ケーブル１３に接続した場合の第１接続面２から第２接続面３までの距離よりも短く、半分より長い。以下に各突起の位置及び形状について詳述する。
【００３８】
第５突起３８は第1部分と第2部分との中央部下側に設けられている。第5突起は直方体であり、接続方向側の面には直方体状の孔である第５孔５１が設けられている。
【００３９】
第４突起３７は、第５突起３８と同一形状の突起である。即ち、第４突起３７は直方体であり、接続方向側の面には直方体状の孔である第４孔５０が設けられている。第４突起３７は第２部分から第１部分方向が第５突起３８から第４突起３７方向と平行になり且つ、第１部分との距離が第１部分と第５突起３８との距離に等しくなる位置に設けられている。
【００４０】
第６突起３９は、第１部分から第２部分方向が第５突起３８から第６突起３９方向と平行になり且つ、第２部分との距離が第２部分と第５突起３８との距離に等しくなる位置に設けられている。第６突起３９は直方体である。第６突起３９の接続方向側の面には、第５孔５１よりも細い直方体状の孔である第６孔５２が設けられている。
【００４１】
第８突起４１は第３部分と第４部分との中央部上側に設けられている。第８突起４１は第５突起３８と同一形状である。即ち、第８突起４１は直方体であり、接続方向側の面には直方体状の孔である第８孔５４が設けられている。
【００４２】
第９突起４０は、第５突起３８と同一形状の突起である。即ち、第９突起４０は直方体であり、接続方向側の面には直方体状の孔である第９孔５３が設けられている。第９突起４０は第３部分から第４部分方向が第８突起４１から第９突起４０方向と平行になり且つ、第４部分との距離が第４部分と第８突起４１との距離に等しくなる位置に設けられている。
【００４３】
第７突起４２は、第４部分から第３部分方向が第８突起４１から第７突起４２方向と平行になり且つ、第３部分との距離が第３部分と第８突起４１との距離に等しくなる位置に設けられている。第７突起４２は第６突起３９と同一形状をしている。即ち、第７突起４２は直方体であり、接続方向側の面には直方体状で第５孔５１よりも小さい形状の孔である第７孔５５が設けられている。
【００４４】
第１突起３１は直方体である。第１突起３１は、第１ケーブル１１を第３ケーブル１３と接続した際に第７孔５５に挿入され得る形状をしている。第１突起３１は、第１部分から第２部分方向と第３部分から第４部分方向とが平行の状態で第１ケーブル１１を第３ケーブル１３に接続し且つ第２ケーブル１２を第４ケーブル１４に接続した際には第７孔５５に挿入可能となり、且つ第１部分から第２部分方向と第３部分から第４部分方向とが平行の状態で第１ケーブル１１を第４ケーブル１４に接続した際には第８孔５４に挿入可能となる位置に設けられている。
【００４５】
第３突起３３は直方体であり、第１突起３１と同一の形状である。第３突起３３は、第１部分から第２部分方向と第３部分から第４部分方向とが平行の状態で第１ケーブル１１を第３ケーブル１３に接続し且つ第２ケーブル１２を第４ケーブル１４に接続した際に第９孔５３に挿入可能となる位置に設けられている。
【００４６】
第２突起３２は直方体である。第２突起３２は第７孔５５より太く、且つ第１ケーブル１１を第３ケーブル１３と接続した際に第８孔５４に挿入可能な形状をしている。第２突起３２は、第１部分から第２部分方向と第３部分から第４部分方向とが平行の状態で第１ケーブル１１を第３ケーブル１３に接続し且つ第２ケーブル１２を第４ケーブル１４に接続した際には第８孔５４に挿入可能となり、且つ第１部分から第２部分方向と第３部分から第４部分方向とが平行の状態で第１ケーブル１１を第４ケーブル１４に接続した際には第９孔５３に挿入可能となる位置に設けられている。
【００４７】
第１０突起３６は直方体であり、第１突起３１と同一の形状である。第１０突起３６は、第１部分から第２部分方向と第３部分から第４部分方向とが平行の状態で第１ケーブル１１を第３ケーブル１３に接続し且つ第２ケーブル１２を第４ケーブル１４に接続した際に第４孔５０に挿入可能となる位置に設けられている。
【００４８】
第１２突起３４は直方体であり、第１突起３１と同一の形状である。第１２突起３４は、第１部分から第２部分方向と第３部分から第４部分方向とが平行の状態で第１ケーブル１１を第３ケーブル１３に接続し且つ第２ケーブル１２を第４ケーブル１４に接続した際に第６孔５２に挿入可能となり、且つ第１部分から第２部分方向と第３部分から第４部分方向とが平行の状態で第１ケーブル１１を第４ケーブル１４に接続した際には第５孔５１に挿入可能となる位置に設けられている。
【００４９】
第１１突起３５は第２突起３２と同一形状の直方体である。第１１突起３５は、第１部分から第２部分方向と第３部分から第４部分方向とが平行の状態で第１ケーブル１１を第３ケーブル１３に接続し且つ第２ケーブル１２を第４ケーブル１４に接続した際には第５孔５１に挿入可能となり、且つ第１部分から第２部分方向と第３部分から第４部分方向とが平行の状態で第１ケーブル１１を第４ケーブル１４に接続した際には第４孔５０に挿入可能となる位置に設けられている。
【００５０】
（作用効果）
本発明の第２の実施の形態の作用について詳述する。図５(a)に示す様にある太陽電池モジュール８０の第１コネクタ１から突き出した第１ケーブル１１及び第２ケーブル１２の各々をその隣の太陽電池モジュール８０の第２コネクタ４から突き出した第３ケーブル１３及び第４ケーブル１４と接続した際、即ち並列に接続した際について以下に詳述する。
【００５１】
隣あう太陽電池モジュール８０を並列に接続した際、第１突起３１は第７孔５５に挿入される。第２突起３２は第８孔５４に挿入される。第３突起３３は第９孔５３に挿入される。第１０突起３６は第４孔５０に挿入される。第１１突起３５は第５孔５１に挿入される。第１２突起３４は第６孔５２に挿入される。第１ケーブル１１は第３ケーブル１３と接続し、第３ケーブル１３のカギヅメ部９０は第１ケーブル１１のロック部材９２に設けられた貫通孔９３に挿入され、第１ケーブル１１から第３ケーブル１３が外れることを防止している。同様に、第２ケーブル１２は第４ケーブル１４と接続し、第４ケーブル１４のカギヅメ部９０は第２ケーブル１２のロック部材９２に設けられた貫通孔９３に挿入され、第２ケーブル１２から第４ケーブル１４が外れることを防止している。
【００５２】
ある太陽電池モジュール８０の第１ケーブル１１及び第２ケーブル１２の各々を、隣の太陽電池モジュール８０の第４ケーブル１４及び第３ケーブル１３に接続しようとした際について詳述する。この時、第１突起３１、第２突起３２、及び第３突起３３は、各々第１２突起３４、第１１突起３５、及び第１３突起と接触する。よって、ある太陽電池モジュール８０の第１ケーブル１１及び第２ケーブル１２の各々を隣の太陽電池モジュール８０の第４ケーブル１４及び第３ケーブル１３に接続することはできない。即ち、並列に接続しようとした際の誤接続が防止される。
【００５３】
続いて、本発明に係る太陽電池モジュール８０を直列に接続する際について詳述する。ある太陽電池モジュール８０の第１ケーブル１１を隣の太陽電池モジュール８０の第４ケーブル１４に接続する際、第１突起３１は第８孔５４に挿入される。第２突起３２は第９孔５３に挿入される。第１１突起３５は第４孔５０に挿入される。第１２突起３４は第５孔５１に挿入される。即ち、第１部分から第２部分方向と第３部分から第４部分方向と平行である状態において、ある太陽電池モジュール８０の第１ケーブル１１は、隣の太陽電池モジュール８０の第４ケーブル１４と接続可能である。また、第２ケーブル１２及び第３ケーブル１３の先端はキャップにより絶縁される。
【００５４】
第１コネクタ１と第２コネクタ４の相対位置が上述の直列接続の位置以外である場合において、第１コネクタ１側の2本のケーブルの内の１本を第２コネクタ４側の２本のケーブルのうちの１本と接続しようとしても、第１接続面２又は第２接続面３に設けられた突起のうちのいずれかが、対向する突起と接触するため接続は不可能である。つまり、ある太陽電池モジュール８０の第２ケーブル１２は隣の太陽電池モジュール８０の第３ケーブル１３と接続不可能である。
【００５５】
よって、図5(b)に示されるように、複数毎の太陽電池モジュール８０を直列に接続する場合、常に第１コネクタ１側が正極に接続されたケーブルであり、第２コネクタ４側は負極に接続されたケーブルとなる為、誤接続が防止できる。
【００５６】
（第３の実施形態）
本発明に係る第３の実施形態を以下に詳述する。
【００５７】
（構成）
第1コネクタ１は直方体である。第1コネクタ１は太陽電池モジュール８０の正極に接続した第1ケーブル１１と、負極に接続した第２ケーブル１２とを束ねている。第1ケーブル１１の先端は第1コネクタ１の第１接続面２の第1部分から突き出している。第2ケーブル１２の先端は、第1コネクタ１の第１接続面２の第２部分から突き出している。
【００５８】
第２コネクタ４２は直方体である。第２コネクタ４２は太陽電池モジュール８０の正極に接続した第３ケーブル１３と、負極に接続した第４ケーブル１４とを束ねている。第３ケーブル１３の先端は第２コネクタ４の第２接続面３の第３部分から突き出している。第４ケーブル１４の先端は、第２コネクタ４の第２接続面３の第４部分から突き出している。第3部分と第4部分との距離は、第１部分と第2部分との距離に等しい。
【００５９】
図６(a)は第３ケーブルの先端形状を示す図である。図６(b)は第１ケーブルの先端形状を示す図である。第1ケーブル１１及び第2ケーブル１２の先端には同型の端子が設けられている。第３ケーブル１３及び第４ケーブル１４の先端には同型の端子が設けられている。第1ケーブル１１の端子は第３ケーブル１３の端子と接続可能な形状をしている。即ち、第1ケーブル１１の先端に設けられた端子は、第3ケーブル１３及び第4ケーブル１４の先端に設けられた端子と接続可能な形状であり、第2ケーブル１２の先端に設けられた端子も第3ケーブル１３及び第4ケーブル１４の先端に設けられた端子と接続可能な形状である。第３ケーブル１３及第４ケーブル１４の先端には、ケーブルの外側に向けて突出した２つのツメ保持部９１と、そのツメ保持部９１より接続方向に突出したカギヅメ状のカギヅメ部９０が設けられている。また、第１ケーブル１１及び第２ケーブル１２の先端にはケーブルの外側に向けて突出し、接続方向に貫通孔９３を有したロック部材９２を備えている。
【００６０】
図４(a)は第１接続面２を正面から見た図であり、図４(b)は第2接続面を正面から見た図である。第1コネクタは、第１接続面２から第２突起６０、第４突起６１、第５突起６２、及び第６突起６３を突出させている。第２コネクタ４は第２接続面３から第７突起６９、第８突起６８、第９突起６７、第１０突起６６、第１１突起６５、及び第１２突起６４を突出させている。各突起の接続方向の長さは第１ケーブル１１が第３ケーブル１３に接続した場合の第１接続面２から第２接続面３までの距離よりも短く、半分より長い。以下に各突起の位置及び形状について詳述する。
【００６１】
第８突起６８は第３部分と第４部分との中央部の上側に設けられている。第８突起６８は直方体であり、接続方向側の面には直方体状の孔である第８孔７４が設けられている。
【００６２】
第１１突起６５は第３部分と第４部分との中央部下側に設けられている。第１１突起６５は直方体である。第１１突起６５の接続方向側の面には、円柱状の第１１孔７１が設けられている。
【００６３】
第９突起６７は、第８突起６８と同一形状の突起である。即ち、第９突起６７は直方体であり、接続方向側の面には第８孔７４と同一形状の第９孔７３が設けられている。第９突起６７は第３部分から第４部分方向が第８突起６８から第９突起６７方向と平行になり且つ、第４部分との距離が第４部分と第８突起６８との距離に等しくなる位置に設けられている。
【００６４】
第７突起６９は、第１１突起６５と同一形状の突起である。即ち、第９突起６７は直方体であり、接続方向側の面には第１１孔７１と同一形状の第７孔７５が設けられている。第７突起６９は第３部分から第４部分方向が第７突起６９から第８突起６８方向と平行になり且つ、第３部分との距離が第３部分と第８突起６８との距離に等しくなる位置に設けられている。
【００６５】
第１０突起６６は、第４部分から第３部分方向が第１１突起６５から第１０突起６６方向と平行になり且つ、第３部分との距離が第３部分と第１１突起６５との距離に等しくなる位置に設けられている。第１０突起６６は第１１突起６５と同一の形状をしている。即ち、第１０突起６６は直方体であり、第１０突起６６の接続方向側の面には第１１孔７１と同一形状の第１０孔７２が設けられている。
【００６６】
第１２突起６４は、第１１突起６５と同一形状の突起である。即ち、第１２突起６４は直方体であり、接続方向側の面には第１１孔７１と同一形状の第１２孔７０が設けられている。第１２突起６４は第３部分から第４部分方向が第１１突起６５から第１２突起６４方向と平行になり且つ、第４部分との距離が第４部分と第１１突起６５との距離に等しくなる位置に設けられている。
【００６７】
第２突起６０は第８孔７４に挿入可能且つ第１１孔７１に挿入不可能な形状の直方体である。第２突起６０は、第１部分から第２部分方向と第３部分から第４部分方向とが平行の状態で第１ケーブル１１を第３ケーブル１３に接続し且つ第２ケーブル１２を第４ケーブル１４に接続した際に第８孔７４に挿入可能となり、且つ第１部分から第２部分方向と第３部分から第４部分方向とが平行の状態で第１ケーブル１１を第４ケーブル１４に接続した際には第９孔７３に挿入可能となる位置に設けられている。
【００６８】
第４突起６１は第１０孔７２に挿入可能な形状の円柱体である。第４突起６１は、第１部分から第２部分方向と第３部分から第４部分方向とが平行の状態で第１ケーブル１１を第３ケーブル１３に接続し且つ第２ケーブル１２を第４ケーブル１４に接続した際に第１０孔７２に挿入可能となり、且つ第１部分から第２部分方向と第３部分から第４部分方向とが平行の状態で第１ケーブル１１を第４ケーブル１４に接続した際には第１１孔７１に挿入可能となる位置に設けられている。
【００６９】
第５突起６２は第４突起６１と同一な形状の円柱体である。第５突起６２は、第１部分から第２部分方向と第３部分から第４部分方向とが平行の状態で第１ケーブル１１を第３ケーブル１３に接続し且つ第２ケーブル１２を第４ケーブル１４に接続した際に第１１孔７１に挿入可能となり、第１部分から第２部分方向と第３部分から第４部分方向とが平行の状態で第１ケーブル１１を第４ケーブル１４に接続した際には第１２孔７０に挿入可能となる位置に設けられている。
【００７０】
第６突起６３は第４突起６１と同一な形状の円柱体である。第６突起６３は、第１部分から第２部分方向と第３部分から第４部分方向とが平行の状態で第１ケーブル１１を第３ケーブル１３に接続し且つ第２ケーブル１２を第４ケーブル１４に接続した際に第１２孔７０に挿入可能となる位置に設けられている。
【００７１】
（作用効果）
本発明の第３の実施形態の作用について詳述する。図５（a）に示す様にある太陽電池モジュール８０の第１コネクタ１から突き出した第１ケーブル１１及び第２ケーブル１２を各々その隣の太陽電池モジュール８０の第２コネクタ４から突き出した第３ケーブル１３及び第４ケーブル１４と接続した際、即ち並列に接続した際について以下に詳述する。
【００７２】
隣あう太陽電池モジュール８０を並列に接続した際、第２突起６０は第８孔７４に挿入される。第４突起６１は第１０孔７２に挿入される。第５突起６２は第１１孔７１に挿入される。第６突起６３は第１２孔７０に挿入される。第１ケーブル１１は第３ケーブル１３と接続し、第３ケーブル１３のカギヅメ部９０は第１ケーブル１１のロック部材９２に設けられた貫通孔９３に挿入される。これにより、第１ケーブル１１と第３ケーブル１３とが外れることを防止している。同様に、第２ケーブル１２は第４ケーブル１４と接続し、第４ケーブル１４のカギヅメ部９０は第２ケーブル１２のロック部材９２に設けられた貫通孔９３に挿入される。これにより、第２ケーブル１２から第４ケーブル１４が外れることを防止される。
【００７３】
ある太陽電池モジュール８０の第１ケーブル１１及び第２ケーブル１２の各々を、隣の太陽電池モジュール８０の第４ケーブル１４及び第３ケーブル１３に接続しようとした際、第２突起６０は第１１突起６５と接触する。よって、第１ケーブル１１及び第２ケーブル１２の各々を第４ケーブル１４及び第３ケーブル１３に接続することが出来ない。
【００７４】
即ち、並列に接続しようとした際の誤接続が防止される。
【００７５】
続いて、本発明に係る太陽電池モジュール８０を直列に接続する際について詳述する。直列接続を行なう際には、ある太陽電池モジュール８０の第１ケーブル１１を隣の太陽電池モジュール８０の第４ケーブル１４に接続する。この時、第２突起６０は第９孔７３に挿入される。第４突起６１は第１１孔７１に挿入される。第５突起６２は第１２孔７０に挿入される。第６突起６３は第２コネクタ４に設けられた突起とは接触しない。即ち、第１部分から第２部分方向と第３部分から第４部分方向と平行である状態において、ある太陽電池モジュール８０の第１ケーブル１１は隣の太陽電池モジュール８０の第４ケーブル１４と接続可能である。また、接続されない第２ケーブル１２及び第３ケーブル１３の先端はキャップにより絶縁される。
【００７６】
第１部分から第２部分方向と第３部分から第４部分方向と平行である状態において、第２ケーブル１２を第３ケーブル１３に接続しようとする場合は、第２突起６０が第７突起６９と接触するために接続は不可能である。一方、第１部分から第２部分方向と第３部分から第４部分方向が反平行である状態において、第１ケーブル１１及び第２ケーブル１２の内のいずれか一方を第３ケーブル１３及び第４ケーブル１４のうちのいずれか一方と接続しようとした場合、第２突起６０が第１０突起６６又は第１２突起６４と接触するので接続は不可能である。
【００７７】
即ち、第１部分から第２部分方向と第３部分から第４部分方向が反平行又は平行である状態において直列接続を行なう際の誤接続が防止される。
【００７８】
よって、これにより、複数毎の太陽電池モジュール８０を直列に接続する場合、図５(b)にしめすように、常に第１コネクタ１側が正極に接続されたケーブルであり、第２コネクタ４側は負極に接続されたケーブルとなり、誤接続が防止できる。更に、突起の形状が直方体及び円柱体の２種類であり、視認性が向上するため、正しい接続の位置を容易に認識できる。よって、接続作業の効率が向上する。
【図面の簡単な説明】
【００７９】
【図１】本発明に係る第１コネクタ及び第２コネクタの斜視図である。
【図２】本発明の第１の実施の形態に係る第１コネクタ及び第２コネクタを接続面側からみた図である。
【図３】本発明の第２の実施の形態に係る第１コネクタ及び第２コネクタを接続面側からみた図である。
【図４】本発明の第３の実施の形態に係る第１コネクタ及び第２コネクタを接続面側からみた図である。
【図５】本発明に係る太陽光発電システムを概念的に示す図である。
【図６】本発明に係る第１ケーブル及び第３ケーブルの先端形状を示す斜視図である。
【符号の説明】
【００８０】
１      第１コネクタ１
２      第１接続面２
３      第２接続面３
４      第２コネクタ４
５      第１突起
６      第２突起
７      第３突起
８      第６突起
９      第５突起
１０      第４突起
１１      第１ケーブル１１
１２      第２ケーブル１２
１３      第３ケーブル１３
１４      第４ケーブル１４
３１      第１突起
３２      第２突起
３３      第３突起
３４      第１２突起
３５      第１１突起
３６      第１０突起
３７      第４突起
３８      第５突起
３９      第６突起
４０      第９突起
４１      第８突起
４２      第７突起
５０      第４孔
５１      第５孔
５２      第６孔
５３      第９孔
５４      第８孔
５５      第７孔
６０      第２突起
６１      第４突起
６２      第５突起
６３      第６突起
６４      第１２突起
６５      第１１突起
６６      第１０突起
６７      第９突起
６８      第８突起
６９      第７突起
７０      第１２孔
７１      第１１孔
７２      第１０孔
７３      第９孔
７４      第８孔
７５      第７孔
８０      太陽電池モジュール
８１      太陽光発電システム
９０      カギヅメ部
９１      ツメ保持部
９２      ロック部材
９３      貫通孔
【図１】
2006237350.tif 000003
【図２】
2006237350.tif 000004
【図３】
2006237350.tif 000005
【図４】
2006237350.tif 000006
【図５】
2006237350.tif 000007
【図６】
2006237350.tif 000008